(57)【特許請求の範囲】
【請求項１】
外管の内部に内管を配置してなる二重管構造を有し、前記内管の内側を流れる流体と、前記内管と前記外管の間を流れる流体との間の熱交換を行うための熱交換器用二重管であって、
前記内管は、複数の前記凸部と、前記凸部同士の間に設けられ、内周側に突出するよう湾曲する複数の螺旋凹部とを有し、前記螺旋凹部は、長手方向において螺旋状に変位しており、前記凸部と前記螺旋凹部との間の境界部は角状に形成されており、
前記熱交換器用二重管の直管部において、前記内管は、外周側に突出するよう湾曲するとともに長手方向に延在する凸部を複数有し、
前記凸部は、長手方向において螺旋状に変位しており、
長手方向に直交する前記直管部の断面において、前記外管の内周面は、円形状を呈しており、
前記直管部において、前記外管の内周面と前記内管の前記凸部とが接し、前記外管と前記内管との間に周方向の複数箇所に区画された外側流路が形成されており、
長手方向に直交する前記直管部の断面において、それぞれの前記外側流路の最大深さをＤ［ｍｍ］、周方向の円弧長をＬ［ｍｍ］としたとき、すべての前記外側流路のＤ／Ｌの値の平均値は、０．０９を超え、０．２０未満である、
熱交換器用二重管。
【請求項２】
前記外管が前記内管に向かってかしめられることにより、前記外管と前記凸部とが当接している、請求項１に記載の熱交換器用二重管。
【請求項３】
長手方向に直交する前記直管部の断面において、それぞれの前記外側流路の前記円弧長Ｌの合計は、前記内管の仮想的な外接円の周長Ｃの６０％以上の長さを有する、請求項１又は２に記載の熱交換器用二重管。
【請求項４】
前記直管部において、前記内管は、４箇所以上６箇所以下に前記凸部を有する、請求項１〜３のいずれか一項に記載の熱交換器用二重管。
【請求項５】
前記直管部において、前記各凸部のねじれ角は、２０°以上、６０°以下である、請求項１〜４のいずれか一項に記載の熱交換器用二重管。
【請求項６】
長手方向に直交する前記直管部の断面において、それぞれの前記外側流路の前記円弧長Ｌの合計は、前記内管の仮想的な外接円の周長Ｃの９０％以下の長さを有する、請求項１〜５のいずれか１項に記載の熱交換器用二重管。
【請求項７】
長手方向に直交する前記直管部の断面において、それぞれの前記外側流路の流路断面積の合計は、前記内側流路の流路断面積の５％以上３０％以下である、請求項１〜６のいずれか１項に記載の熱交換器用二重管。
【発明の詳細な説明】
【技術分野】
【０００１】
本発明は、熱交換器用二重管に関する。
【背景技術】
【０００２】
自動車用空調装置などの熱交換サイクル（冷凍サイクルともいう）は、凝縮器、蒸発器、圧縮機及び膨張弁を備える。これらを連結する循環経路には、フロン、ＣＯ2、アンモニア、その他の冷媒が循環している。かかる熱交換サイクルにおいて、循環経路中に二重管を配置し、当該二重管によって構成される二層の空間に、凝縮器から出てくる高温冷媒と、蒸発器から出てくる低温冷媒とを対向して流して熱交換することにより、熱交換性能を向上させることが提案されている（特許文献１参照）。
【０００３】
一方、熱交換サイクルにおいて使用される冷媒としては、環境問題に対応するために、より地球温暖化係数の低い冷媒が検討されている。これらの環境問題を考慮した冷媒は、現行の冷媒に比べ熱交換性能が低下することが懸念されている。このため、熱交換サイクル全体の性能劣化を抑制するためには、前述の二重管を組み込むことにより熱交換性能をより向上させた構成を積極的に採用することが有効である。
【０００４】
蒸発器から排出された気体冷媒を圧縮機で圧縮するシステムにおいては、冷媒が十分に気化しきれない状態、つまり、気体に液体が混入している状態で圧縮機に流入した場合、十分な熱交換ができないという不具合が生じうる。しかし、この不具合は、二重管を組み込むことによって解消することができる。二重管において、圧縮機に流入させる前の冷媒を加熱することができ、冷媒を十分に気化させることができるからである。
【０００５】
ここで、特許文献１に記載の二重管は、内管として螺旋状の溝部を複数備えた内管を用いており、これと平滑な円筒状の外管とを組み合わせている。そして、二重管の直管部においては、内管の外径よりも外管の内径が大きくなっており、内管における溝部間の峰部が外管に当接していない。これにより、二重管の直管部においては、溝部同士が周方向に連通しており、外管と内管との間に形成される外側流路が全周にわたって形成されている。
【先行技術文献】
【特許文献】
【０００６】
【特許文献１】特開２００６−１６２２４１号公報
【発明の概要】
【発明が解決しようとする課題】
【０００７】
特許文献１に記載の二重管は、直管部において、前述したように内管の外径よりも外管の内径の方が大きく、外側流路が周方向に連なった一つの流路となっており、曲げ部に比べて流路断面積が大きくなっている。そのため、外側流路での冷媒の流速が直管部において低下しやすく、直管部における熱交換性能が十分に得られない可能性がある。
【０００８】
熱交換用の二重管は、一部に曲げ部を有するものの、大半が直管部で構成されているため、直管部における熱交換性能を向上させることにより、二重管全体の熱交換性能を向上させることができると考えられる。一方、二重管における熱交換性能には、内管内の流路である内側流路及び外側流路における流速、流路面積、圧力損失等の条件だけではなく、流路断面形状、その他の最適化等が影響すると考えられるものの、未だに最適な条件が明らかになっているとは言えない。特に、外側流路の効果的な流路断面形状が十分に解明されていない。
【０００９】
本発明は、かかる背景に鑑みてなされたものであり、直管部における外側流路の流路断面形状を最適化して、熱交換性能を従来よりも向上させることができる熱交換器用二重管を提供しようとするものである。
【課題を解決するための手段】
【００１０】
本発明の一態様は、外管の内部に内管を配置してなる二重管構造を有し、前記内管の内側を流れる流体と、前記内管と前記外管の間を流れる流体との間の熱交換を行うための熱交換器用二重管であって、
前記内管は、複数の前記凸部と、前記凸部同士の間に設けられ、内周側に突出するよう湾曲する複数の螺旋凹部とを有し、前記螺旋凹部は、長手方向において螺旋状に変位しており、前記凸部と前記螺旋凹部との間の境界部は角状に形成されており、
前記熱交換器用二重管の直管部において、前記内管は、外周側に突出するよう湾曲するとともに長手方向に延在する凸部を複数有し、
前記凸部は、長手方向において螺旋状に変位しており、
長手方向に直交する前記直管部の断面において、前記外管の内周面は、円形状を呈しており、
前記直管部において、前記外管の内周面と前記内管の前記凸部とが接し、前記外管と前記内管との間に周方向の複数箇所に区画された外側流路が形成されており、
長手方向に直交する前記直管部の断面において、それぞれの前記外側流路の最大深さをＤ［ｍｍ］、周方向の円弧長をＬ［ｍｍ］としたとき、すべての前記外側流路のＤ／Ｌの値の平均値は、０．０９を超え、０．２０未満である、
熱交換器用二重管にある。
【発明の効果】
【００１１】
前記熱交換器用二重管は、直管部において、外管の内周面と内管の凸部とが接し、外管と内管との間に周方向の複数箇所に区画された外側流路が形成されている。このように、直管部において、外側流路を周方向に分断するよう形成することにより、直管部における外側流路を流れる流体の流速を確保でき、直管部における熱交換性能を向上させることができる。
【００１２】
また、長手方向に直交する直管部の断面において、それぞれの外側流路の最大深さをＤ［ｍｍ］、周方向の円弧長をＬ［ｍｍ］としたとき、すべての外側流路のＤ／Ｌの値の平均値は、０．０９を超え、０．２０未満である。すなわち、直管部において、各外側流路は、ある程度深さが小さく、周方向の円弧長さが長く形成されることとなる。それゆえ、直管部において、外側流路に流れる流体と外管及び内管との接触面積を増やすことができる。これによっても、直管部における熱交換性能を向上させることができる。
【００１３】
また、直管部の断面において、すべての外側流路のＤ／Ｌの値の平均値を０．０９を超える値とすることにより、直管部における各外側流路に流れる流体の圧力損失の増加を抑制することができる。さらに、直管部の断面において、前記平均値を０．２０未満の値とすることにより、直管部における内管内の流路に流れる流体の圧力損失が増加することを抑制することができる。
【００１４】
以上のごとく、本態様によれば、直管部における外側流路の流路断面形状を最適化して、熱交換性能を従来よりも向上させることができる熱交換器用二重管を提供することができる。
【図面の簡単な説明】
【００１５】
【図１】実施例１における、熱交換器用二重管の一部断面斜視図。
【図２】実施例１における、熱交換器用二重管の一部断面側面図。
【図３】図２の、III−III線矢視断面図。
【図４】図３の、一点鎖線で囲った部分を拡大した図。
【図５】実施例１における、外側流路の最大深さＤ及び周方向の円弧長Ｌを説明するための内管の断面図。
【図６】実施例１における、押圧ディスクの配置を内管の素管の長手方向から見た様子を示す説明図。
【図７】実施例２における、外側流路の最大深さＤ及び周方向の円弧長Ｌを説明するための内管の断面図。
【図８】実験例１〜３における、Ｄ／Ｌ平均値が０．０８である試料１の二重管の断面図。
【図９】実験例１〜３における、Ｄ／Ｌ平均値が０．１５である試料５の二重管の断面図。
【図１０】実験例１〜３における、Ｄ／Ｌ平均値が０．２０である試料７の二重管の断面図。
【図１１】実験例１〜３における、比較試料としての試料８の二重管の断面図。
【図１２】実験例１〜３における、試料５の二重管の全体斜視図。
【図１３】実験例１における、Ｄ／Ｌ平均値と、内側流路における冷媒の吸熱量との関係を示すグラフ。
【図１４】実験例２における、Ｄ／Ｌ平均値と、外側流路における冷媒の圧力損失との関係を示すグラフ。
【図１５】実験例３における、Ｄ／Ｌ平均値と、内側流路における冷媒の圧力損失との関係を示すグラフ。
【発明を実施するための形態】
【００１６】
前記熱交換器用二重管は、例えば、自動車用等の空調装置に組み込んで使用するものとすることができる。空調装置は、凝縮器、蒸発器、圧縮機、膨張弁及び、これらを連結する循環経路を備え、当該循環経路に熱交換器用二重管を配置することが可能である。この場合、例えば、内管内の流路には、蒸発器から出てくる低温低圧のガス冷媒が流れ、前記外側流路には、凝縮器から出てくる高温高圧の液冷媒が内管に流れる前記低温低圧のガス冷媒と対向する方向に流れるようにするよう構成することが可能である。この場合、熱交換器用二重管においては、前記高温高圧の液冷媒と前記低温低圧のガス冷媒との間において熱交換が効率的に行われ、熱交換サイクル全体の熱交換性能が向上する。
【００１７】
また、熱交換器用二重管は、直線状に延びる直管部を備えていれば、一部（１箇所或いは複数箇所）が曲げ加工等により曲げられていてもよい。この場合においては、少なくとも二重管の長手方向に直交する直管部の断面において、すべての外側流路のＤ／Ｌの値の平均値を、０．０９超え、０．２０未満の値とすればよい。これにより、熱交換器用二重管における大部分を占める直管部における熱交換性能の向上、及び圧力損失の低減を図ることができる。
【００１８】
また、外管が内管に向かってかしめられることにより、外管と凸部とが当接していてもよい。この場合は、容易に、外管と凸部とを直接当接させることができ、周方向の複数箇所に区分された外側流路を備える熱交換器用二重管の生産性を向上させることができる。
【００１９】
また、長手方向に直交する直管部の断面において、それぞれの外側流路の円弧長Ｌの合計は、内管の仮想的な外接円の周長Ｃの６０％以上の長さを有することが好ましい。このように、直管部において、外側流路を周方向の広い領域に形成することにより、直管部における熱交換性能の向上、及び圧力損失の低減を図ることができる。また、長手方向に直交する直管部の断面において、それぞれの外側流路の円弧長Ｌの合計は、内管の外接円の周長Ｃの９０％以下とすることが好ましい。この場合には、内管と外管との当接部の接触幅を確保しやすく、確実に外周流路を分断することができる。
【００２０】
また、直管部において、内管は、４箇所以上６箇所以下に凸部を有することが好ましい。凸部を４箇所以上に形成することにより、直管部における外側流路の流速を向上させやすく、熱交換性能を一層向上させることができる。また、凸部を６箇所以下とすることにより、直管部において外側流路が周方向の多数箇所に分断されることに起因して圧力損失が過度に大きくなることを抑制することができる。
【００２１】
また、熱交換器用二重管の長手方向に直交する直管部の断面において、複数の凸部は、等間隔に形成されていることが好ましい。これにより、外側流路の冷媒流量が周方向において等量となる。そのため、外側流路を流れる冷媒と内管内の流路を流れる冷媒との熱交換ムラを抑制しやすくなる。
【００２２】
また、直管部において、各凸部のねじれ角は、２０°以上、６０°以下であることが好ましい。ねじれ角は、凸部の形成方向と、熱交換器用二重管の長手方向に平行な直線とがなす角度である。ねじれ角を２０°以上とすることにより、各外側流路と内管との接触部分を増やしやすく、熱交換性能を向上させやすい。ねじれ角を６０°以下とすることにより、外側流路に流れる冷媒の圧力損失が過度に大きくなることを抑制することができる。
【実施例】
【００２３】
（実施例１）
熱交換器用二重管の実施例につき、図１〜図５を用いて説明する。
図１、図２に示すごとく、本例の熱交換器用二重管１（以後、単に二重管１ということもある）は、外管２の内部に内管３を配置してなる二重管構造を有する。二重管１は、内管３の内側を流れる流体と、内管３と外管２の間を流れる流体との間の熱交換を行うために用いられる。
【００２４】
図１、図３に示すごとく、二重管１の直管部１１において、内管３は、外周側に突出するよう湾曲するとともに二重管１の長手方向（以後「Ｘ方向」という。）に延在する凸部３１を複数有する。図２に示すごとく、凸部３１は、Ｘ方向において螺旋状に変位している。図１、図３に示すごとく、Ｘ方向に直交する直管部１１の断面において、外管２の内周面は、円形状を呈している。
【００２５】
図１〜図３に示すごとく、二重管１の直管部１１において、外管２の内周面と内管３の凸部３１とが接し、外管２と内管３との間に周方向の複数箇所に区画された外側流路４が形成されている。図５に示すごとく、Ｘ方向に直交する直管部１１の断面において、それぞれの外側流路４の最大深さをＤ［ｍｍ］、周方向の円弧長をＬ［ｍｍ］としたとき、すべての外側流路４のＤ／Ｌの値の平均値は、０．０９を超え、０．２０未満である。
以後、本例の二重管１につき詳説する。
【００２６】
以後、単に周方向といったときは、特に断らない限り二重管１の周方向を意味するものとし、単に径方向といったときは、特に断らない限り二重管１の径方向を意味するものとする。
【００２７】
図１、図２に示すごとく、外管２及び内管３は、例えば１０００系の純アルミニウムや３０００系、５０００系のアルミニウム合金を管状に形成してなる。なお、これに限られず、外管２及び内管３を、他の熱伝導性の優れた金属等によって構成することも可能である。本例の二重管１は、外管２内に内管３を挿入した後、外管２をその全周が内周側に縮径するよう圧縮することで、外管２がすべての凸部３１に当接するよう形成されている。そして、外管２と内管３とに挟まれた領域が外側流路４となっており、内管３の内側が内側流路６となっている。
【００２８】
図２に示すごとく、二重管１の使用時においては、内側流路６と外側流路４とには、互いに反対方向に冷媒が流通するよう構成される。図２においては、内側流路６に流れる冷媒の方向を破線の矢印、外側流路４に流れる冷媒の方向を実線の矢印にて表している。
【００２９】
図１に示すごとく、外管２は、Ｘ方向に直交する断面形状が円環状の平滑管である。一方、内管３は、Ｘ方向に直交する断面形状が図３に示すような凹凸形状に形成されている。内管３のＸ方向に直交する断面形状は、Ｘ方向の各位置において、互いに同形状であるが、周方向に回転させたような姿勢となる。
【００３０】
内管３は、外管２との間に外側流路４を形成するための螺旋凹部３２を４つ備える。図２に示すごとく、螺旋凹部３２は、Ｘ方向の一方側に向かうにつれて周方向の一方に向かうような螺旋状に形成されている。螺旋凹部３２の形成方向と、Ｘ方向に平行な直線との間になす角、すなわち螺旋凹部３２のねじれ角は、２０°以上、６０°以下である。図１、図３に示すごとく、螺旋凹部３２は、内周側に凸となるよう湾曲した曲面状に形成されている。
【００３１】
凸部３１及び螺旋凹部３２を備える内管３は、例えば次のように製造することができる。まず、図６の二点鎖線に示すような、断面形状が円環状の平滑管状を有する素管３０を準備する。そして、後述する４つの押圧ディスク８に囲まれた領域に素管３０を通すことで、素管３０の螺旋凹部３２となる部位を変形させる。
【００３２】
ここで、押圧ディスク８は、周方向に等間隔に４つ配置されている。各押圧ディスク８は、円盤形状を有し、かつ、押圧ディスク８の円周方向に回転自在に設けられている。各押圧ディスク８は、素管３０の長手方向に対して傾斜している。すなわち、各押圧ディスク６１は、前述のねじれ角を有する螺旋凹部３２を形成できるようにすべく傾斜している。また、各押圧ディスク８は、これらに囲まれた領域に素管３０を通過させた際に素管３０を内周側に押圧できるよう、素管３０の外周面よりも内周側に一部が位置するよう配されている。
【００３３】
そして、４つの押圧ディスク８に囲まれた空間に素管３０を通過させることにより、各押圧ディスク８が回転しながら押圧ディスク８の側面部８１が素管３０を内周側に押圧し、素管３０に螺旋凹部３２が形成される。そして、螺旋凹部３２が形成されなかった部位、すなわち内管３における周方向の螺旋凹部３２間の部位が、螺旋凹部３２に沿うよう形成された凸部３１となる。なお、螺旋凹部３２が形成されるのと同時に、凸部３１も螺旋凹部３２の変形に追従するよう変形し、素管３０の曲率半径よりも凸部３１の曲率半径が小さくなるよう形成される。螺旋凹部３２が深く形成されるほど、凸部３１の曲率半径が小さくなる。以上のように、内管３を製造することができる。
【００３４】
図１、図３に示すごとく、内管３は、Ｘ方向に直交する断面形状において、周方向の４箇所に等間隔に凸部３１を有する。凸部３１は、Ｘ方向に直交する内管３の断面形状において、周方向に隣接する部位よりも外周側に突出する部位である。凸部３１のねじれ角も、螺旋凹部３２のねじれ角と同様、２０°以上、６０°以下である。内管３の凸部３１は、外周側に凸となるよう湾曲した曲面状に形成されている。
【００３５】
図３に示すごとく、内管３の外周面における凸部３１と螺旋凹部３２との間の境界部３３は、角状に形成されている。これは、前述した内管３の製造工程において、押圧ディスク８による素管３０の押圧量が十分であることにより、螺旋凹部３２と凸部３１との境界部３３が角状に形成されるものである。つまり、境界部３３が角状になっている場合は、凸部３１が螺旋凹部３２に対して十分に外周側に突出するよう顕在しやすいとともに曲率半径が小さくなりやすい。そのため、角状の境界部３３が形成されている場合は、凸部３１と外管２とを確実に密着させやすく、外側流路４を確実に周方向に分断することができる。
【００３６】
図３に示すごとく、すべての凸部３１は、外管２の内周面に当接している。すべての凸部３１は、少なくとも二重管１の直管部１１におけるＸ方向の全領域において外管２の内周面に当接しており、本例においては、Ｘ方向における凸部３１が存在する全領域において、すべての凸部３１が外管２の内周面に当接している。つまり、二重管１の一部が曲げられていた場合、当該曲げ部においても、すべての凸部３１は外管２の内周面に当接している。
【００３７】
図３に示すごとく、凸部３１は、外管２の内周面に沿うよう（すなわち、凸部３１と外管２の内周面との曲率半径の差が所定値以上とならないよう）湾曲して形成されており、これにより、凸部３１と外管２との接触幅が確保されやすくなっている。また、直管部１１のＸ方向に直交する断面において、各凸部３１と外管２との接触幅の合計長さは、内管３の仮想的な外接円の周長Ｃの８０％以下であることが好ましい。これにより、各外側流路４の周方向長さを確保することができ、熱交換性能の向上、及び、外側流路４を流れる冷媒の圧力損失の低減を図ることができる。そして、周方向の４つの凸部３１と外管２とが当接することにより、外管２と内管３との間において、外側流路４が周方向の４箇所に分断されている。
【００３８】
図５に示すごとく、直管部１１のＸ方向に直交する断面において、それぞれの外側流路４の最大深さをＤ［ｍｍ］、周方向の円弧長をＬ［ｍｍ］としたとき、すべての外側流路４のＤ／Ｌの値の平均値（Ｄ／Ｌ平均値）は０．０９を超えるとともに、０．２０未満である。すなわち、Ｘ方向に直交する断面において、それぞれの外側流路４は、ある程度径方向に浅く、かつ、周方向に幅広に形成される。
【００３９】
直管部１１のＸ方向に直交する断面において、外側流路４の最大深さＤは、内管３の仮想的な外接円７と内管３との間の径方向の最大長さによって求めた。すなわち、直管部１１のＸ方向に直交する断面において、外側流路４と外接円７との間の径方向の長さは、周方向の位置によって異なるが、そのうちの最大となるものが最大深さＤである。例えば、直径が約１９ｍｍの管を素管（図６の符号３０参照）として、これを加工して内管３を構成した場合、各外側流路４の最大深さＤは、例えば０．７ｍｍ〜１．６ｍｍとすることができる。
【００４０】
また、直管部１１のＸ方向に直交する断面において、外側流路４の周方向の円弧長Ｌは、内管３の外接円７における、外側流路４の両側に隣接する部位に位置する当接部５間の円弧長さである。ここで、凸部３１は外管２の内周面に沿うよう湾曲した曲面状に形成されているため、図４の当接部５と外側流路４との境界周辺の拡大図に示すごとく、凸部３１と外管２との当接部５と外側流路４との境界周辺付近は、周方向の外側流路４側に向かうにつれて徐々に凸部と外管２との間の隙間ｇの径方向の長さが長くなる。そこで、本例においては、当接部５と外側流路４との境界周辺付近において、径方向の隙間の長さが４μｍ以上、１３μｍ以下の明らかに隙間と認識できる部位の手前（周方向の外側流路４の中央から遠ざかる側）を当接部５の端部５１とし、外側流路４の周方向の両側に隣接する当接部５の端部５１間の外接円７の周方向の長さを外側流路４の周方向の円弧長Ｌとした。
【００４１】
直管部１１のＸ方向に直交する断面において、外側流路４の周方向の円弧長Ｌは、内管３の外接円７の半径をｒ［ｍｍ］、外側流路４の周方向の両側に隣接する当接部５の各端部５１と外接円７とを結ぶ仮想直線Ｖ同士がなす角をθ［°］としたとき、Ｌ＝２πｒ×θ／３６０、にて求めることができる。例えば、直径が約１９ｍｍの管を素管（図６の符号３０参照）として、これを加工して内管３を構成した場合、直管部１１のＸ方向に直交する断面における各外側流路４の周方向の円弧長Ｌは、例えば７ｍｍ〜１４ｍｍである。
【００４２】
図５に示すごとく、直管部１１のＸ方向に直交する断面におけるそれぞれの外側流路４の周方向の円弧長Ｌの合計は、内管３の外接円７の周長Ｃの６０％以上の長さを有する。これにより、直管部１１における熱交換性能の向上、及び圧力損失低減を図りやすい。また、本例において、直管部１１のＸ方向に直交する断面におけるそれぞれの外側流路４の周方向の円弧長Ｌの合計は、内管３の外接円７の周長Ｃの９０％以下とすることが内管３と外管２との当接部５の接触幅を確保する観点から好ましく、また、６３％以上、７７％以下とすることが、当接部５の接触幅の確保、熱交換性能の向上及び圧力損失の低減を図る観点から好ましい。
【００４３】
直管部１１のＸ方向に直交する断面において、それぞれの外側流路４の流路断面積の合計は、内側流路６の流路断面積の５％以上である。これにより、直管部１１の熱交換性能の向上及び外側流路４の冷媒の圧力損失の低減を図ることができる。また、直管部１１のＸ方向に直交する断面において、それぞれの外側流路４の流路断面積の合計は、内側流路６の流路断面積の３０％以下であることが、二重管１の生産性の向上、及び、内側流路６の冷媒の圧力損失の低減の観点から好ましい。つまり、直管部１１のＸ方向に直交する断面において、それぞれの外側流路４の流路断面積の合計を内側流路６の流路断面積の３０％を超える値とする場合、内管３の外側流路４の深さをかなり大きくしなければならないが、これを、Ｄ／Ｌ平均値を０．０９〜０．２０に保ったまま実現することは物作り上困難であり、かつ、内管３内に流れる冷媒の圧力損失も向上しやすくなってしまう。また、直管部１１のＸ方向に直交する断面において、それぞれの外側流路４の流路断面積の合計は、内側流路６の流路断面積の９％以上、２０％以下であることが、二重管１の生産性の向上、直管部１１の熱交換性能の向上、外側流路４の冷媒の圧力損失の低減、二重管１の生産性の向上、及び、内側流路６の冷媒の圧力損失の低減の観点から好ましい。
【００４４】
また、前述のごとく、内管３のＸ方向に直交する断面形状は、Ｘ方向の各位置において、互いに同形状で、周方向に回転させたような姿勢となる。すなわち、Ｘ方向の各位置において、各外側流路４の最大深さＤと周方向の円弧長Ｌとのそれぞれは略一定である。そして、直管部１１における凸部３１が存在する各位置の断面において、すべての外側流路４のＤ／Ｌの値の平均値が、０．０９を超え、０．２０未満である。
【００４５】
外管２の外径は１５ｍｍ〜３０ｍｍの範囲内、内管３の外接円の外径は１０ｍｍ〜２９ｍｍの範囲内とした。また、外管２の厚みと内管３の厚みとは、互いに同等とした。
【００４６】
本例の二重管１は、自動車用等の空調装置に組み込んで使用される。空調装置は、凝縮器、蒸発器、圧縮機、膨張弁及び、これらを連結する循環経路を備え、二重管１は、当該循環経路に配置される。二重管１の内側流路６には、蒸発器から出てくる低温低圧のガス冷媒が図２の破線矢印方向に流れ、外側流路４には、凝縮器から出てくる高温高圧の液冷媒が、内管３に流れる低温低圧のガス冷媒と対向する方向（図２の実線矢印方向）に流れる。冷媒としては、例えば、Ｒ−１３４ａ、Ｒ−１２３４ｙｆ等のフロン系冷媒、又はＣＯ2冷媒を用いることが可能である。
【００４７】
次に、本例の作用効果につき説明する。
本例の二重管１は、直管部１１において、外管２の内周面と内管３の凸部３１とが接し、外管２と内管３との間に周方向の複数箇所に区画された外側流路４が形成されている。このように、直管部１１において、外側流路４を周方向に分断するよう形成することにより、直管部１１における外側流路４を流れる冷媒の流速を確保でき、直管部における熱交換性能を向上させることができる。
【００４８】
また、Ｘ方向に直交する直管部１１の断面において、それぞれの外側流路４の最大深さをＤ［ｍｍ］、周方向の円弧長をＬ［ｍｍ］としたとき、すべての外側流路４のＤ／Ｌの値の平均値は、０．０９を超え、０．２０未満である。すなわち、直管部１１において、外側流路４は、ある程度深さが小さく、周方向の円弧長さが長く形成されることとなる。それゆえ、直管部１１において、外側流路４に流れる冷媒と外管２及び内管３との接触面積を増やすことができる。これによっても、直管部１１における熱交換性能を向上させることができる。
【００４９】
また、直管部１１の断面において、すべての外側流路４のＤ／Ｌの値の平均値を０．０９を超える値とすることにより、直管部１１における各外側流路４に流れる冷媒の圧力損失の増加を抑制することができる。さらに、直管部１１の断面において、前記平均値を０．２０未満の値とすることにより、直管部１１における内側流路６に流れる冷媒の圧力損失が増加することを抑制することができる。
【００５０】
また、外管２が内管３に向かってかしめられることにより、外管２と凸部３１とが当接している。これにより、容易に、外管２と凸部３１とを直接的に（機械的に）当接させることができ、周方向の複数箇所に区分された外側流路４を備える二重管１の生産性を向上させることができる。
【００５１】
また、直管部１１において、内管３は、周方向の４箇所に凸部３１を有する。それゆえ、直管部１１における凸部３１の数を３箇所以下とした場合よりも、直管部１１における外側流路４の流速を向上させやすく、熱交換性能を一層向上させることができる。また、直管部１１において、凸部３１を４つとすることで、直管部１１において外側流路４が周方向の多数箇所に分断されることに起因して外側流路４内を流れる冷媒の圧力損失が過度に大きくなることを抑制することができる。
【００５２】
また、内管３の断面形状において、複数の凸部３１は、等間隔に形成されている。それゆえ、外側流路４の冷媒流量が周方向において等量となる。そのため、外側流路４を流れる冷媒と内管３内の流路を流れる冷媒との熱交換ムラを抑制しやすくなる。
【００５３】
また、直管部１１において、各凸部３１のねじれ角は、２０°以上、６０°以下である。ねじれ角を２０°以上とすることにより、各外側流路４と内管３との接触部分を増やしやすく、熱交換性能を向上させやすい。ねじれ角を６０°以下とすることにより、外側流路４に流れる冷媒の圧力損失が過度に大きくなることを抑制することができる。
【００５４】
以上のごとく、本例によれば、直管部における外側流路の流路断面形状を最適化して、熱交換性能を従来よりも向上させることができる熱交換器用二重管を提供することができる。
【００５５】
（実施例２）
本例は、図７に示すごとく、直管部１１において、内管３の６箇所に凸部３１を形成した例である。６箇所の凸部３１のすべては、外管２の内周面に当接している。本例においても、それぞれの外側流路４の最大深さをＤ［ｍｍ］、周方向の円弧長をＬ［ｍｍ］としたとき、すべての外側流路４のＤ／Ｌの値の平均値は、０．０９を超え、０．２０未満である。
【００５６】
その他は、実施例１と同様である。
なお、本例以降において用いる符号のうち、既出の実施例において用いた符号と同一のものは、特に示さない限り、既出の実施例におけるものと同様の構成要素等を表す。
【００５７】
本例においては、直管部１１において、内管３の６箇所に凸部３１が形成されているため、外側流路４が周方向の６箇所に分断されて形成されることとなる。それゆえ、直管部１１における外側流路４に流れる冷媒の流速を一層向上させやすい。また、直管部１１において凸部３１を６箇所以下とすることにより、直管部１１の外側流路４に流れる冷媒の圧力損失が過度に大きくなることを抑制することができる。
その他、実施例１と同様の作用効果を有する。
【００５８】
（実験例１）
本例は、二重管１において、すべての外側流路４のＤ／Ｌの値の平均値（Ｄ／Ｌ平均値）を種々変更させた場合の、外側流路４を通る冷媒と内側流路６を通る冷媒との間の熱交換性能の度合いをシミュレーションにより評価した例である。当該シミュレーションには、解析ソフトとして、ダッソー・システムズ・ソリッドワークス社製の「SolidWorks（登録商標）FlowSimulation」を用いた。
【００５９】
本例においては、基本構造を実施例１と同様としつつ、Ｄ／Ｌ平均値を種々変更した試料１〜７と、比較のための試料８とを想定した。試料１〜７は、実施形態１と同様、周方向の４箇所に凸部３１を有するとともに、各凸部３１が外管２の内周面に当接している。試料１のＤ／Ｌ平均値は０．０８とし、試料２のＤ／Ｌ平均値は０．０９とし、試料３のＤ／Ｌ平均値は０．１０とし、試料４のＤ／Ｌ平均値は０．１４とし、試料５のＤ／Ｌ平均値は０．１５とし、試料６のＤ／Ｌ平均値は０．１６とし、試料７のＤ／Ｌ平均値は０．２０とした。図８にはＤ／Ｌ平均値が０．０８の試料１を示し、図９にはＤ／Ｌ平均値が０．１５の試料５を示し、図１０には、Ｄ／Ｌ平均値が０．２０の試料７を示している。
【００６０】
一方、図１１に示すごとく、試料８は、周方向の３箇所に凸部３１を有するものとし、かつ、内管３の外接円の直径が外管２の内接円の直径よりも小さく、内管３が外管２に当接していないものを想定した。試料８における各螺旋凹部３２と内管３の外接円９７との間の径方向の最大長さＭは、１．７ｍｍを想定した。試料８は、既に流通している二重管を想定した。
【００６１】
各試料は、外管２の全体が断面円形の平滑管形状であり、内管３がねじり角４０°の凸部３１を有するものとした。そして、図１２にＤ／Ｌ平均値が０．１５の試料５の例を示すごとく、各試料は、全体が一直線状に形成されており、各試料の内管３は、Ｘ方向の全体にわたり、凸部３１が形成されているものとした。各試料は、外管２の外周面の直径を約２１ｍｍとし、外管２及び内管３のそれぞれの厚みを１．２ｍｍとし、Ｘ方向の長さを５００ｍｍとした。
【００６２】
そして、図１２に一例を示すごとく、各試料を、外気温度２３℃の環境下に配置し、Ｘ方向の一方側から内側流路６に冷媒Ｆ１を導入するとともに、Ｘ方向の他方側から外側流路４に冷媒Ｆ２を導入させる場合を想定した。外側流路４に流す冷媒Ｆ２の初期温度（外側流路４入口での温度）は５０℃、内側流路６に流す冷媒Ｆ１の初期温度は１１℃とし、外側流路４及び内側流路６のそれぞれに流す冷媒Ｆ１、Ｆ２の流量は、２３４ｋｇ／ｈとした。また、外側流路４の入口での冷媒Ｆ２の圧力は１４９９ｋＰａ、内側流路６の入口での冷媒Ｆ１の圧力は１９９ｋＰａとした。外側流路４及び内側流路６に流す冷媒Ｆ１、Ｆ２としては、ＨＦＣ−１３４ａを想定した。
【００６３】
そして、各試料において、内側流路６に流れる冷媒Ｆ１における吸熱量を、熱交換性能を示す指標として算出した。内側流路６に流れる冷媒Ｆ１における吸熱量は、内側流路６の出口を流れる冷媒の圧力及び温度に基づいて算出したエンタルピと、内側流路６の入口を流れる冷媒の圧力及び温度に基づいて算出したエンタルピとの差であるエンタルピ差と、内側流路６を流れる冷媒の流量との積によって求めた。
【００６４】
結果を図１３に示す。なお、図１３において、試料１〜７の結果については記号「〇」でプロットしており、比較試料としての試料８の結果については記号「◇」でプロットしている。なお、試料８は、外管２と内管３との間の流路が全周において連なっており、試料１〜７と同様の意義でＤ／Ｌ平均値を定義、算出することはできないが、図１３においては便宜的にＤ／Ｌ平均値が０．１５の箇所に試料８の結果をプロットした。
【００６５】
図１３から分かるように、本例においては、試料１〜７は、試料８よりも内側流路６に流れる冷媒の吸熱量が高くなる、すなわち熱交換性能が高くなることが分かった。それゆえ、直管部１１において、凸部３１を周方向の４箇所に形成し、各凸部３１を外管２に当接させて外側流路４を周方向の４箇所に分断することにより、凸部３１を周方向の３箇所に形成し、各凸部３１を外管２に当接させない試料８よりも、熱交換性能が向上することが分かる。さらに、図１３から、Ｄ／Ｌ平均値を０．１４以上とすることにより一層熱交換性能が向上することが分かる。
【００６６】
（実験例２）
本例は、実験例１における試料１〜８において、外側流路４に流れる冷媒の圧力損失をシミュレーションにより評価した例である。実験例１と同様、本例におけるシミュレーションには、解析ソフトとして、ダッソー・システムズ・ソリッドワークス社製の「SolidWorks（登録商標）FlowSimulation」を用いた。試料１〜８、試験条件は、実験例１と同様である。
【００６７】
本例においては、外側流路４の入口部分を流れる冷媒の圧力と、外側流路４の出口部分を流れる冷媒の圧力との差を外側流路４における冷媒の圧力損失とした。
結果を図１４に示す。
【００６８】
図１４から分かるように、Ｄ／Ｌ平均値を０．０９を超える値にすることにより、外側流路４における冷媒の圧力損失を２０ｋＰａ未満に抑えることができる。一方、Ｄ／Ｌ平均値が０．０９以上となった場合は、急激に外側流路４における冷媒の圧力損失が上昇していることが分かる。さらに、外側流路４の冷媒の圧力損失を低減する観点から、Ｄ／Ｌ平均値は、０．１０を超える値にすることが好ましいことが分かる。
【００６９】
（実験例３）
本例は、実験例１における試料１〜８において、内側流路６に流れる冷媒の圧力損失をシミュレーションにより評価した例である。実験例１、２と同様、本例におけるシミュレーションには、解析ソフトとして、ダッソー・システムズ・ソリッドワークス社製の「SolidWorks（登録商標）FlowSimulation」を用いた。試料１〜８、試験条件は、実験例１と同様である。
【００７０】
本例においては、内側流路６の入口部分を流れる冷媒の圧力と、内側流路６の出口部分を流れる冷媒の圧力との差を内側流路６における冷媒の圧力損失とした。
結果を図１５に示す。
【００７１】
図１５から分かるように、Ｄ／Ｌ平均値を０．２０未満とすることにより、内側流路６における冷媒の圧力損失を低減させることができることが分かる。また、Ｄ／Ｌ平均値を０．２０未満とすることにより、内側流路６における冷媒の圧力損失を、比較試料としての試料８よりも低減させることができることが分かる。さらに、内側流路６における冷媒の圧力損失を低減する観点から、Ｄ／Ｌ平均値を０．１６未満とすることが好ましいことが分かる。
【００７２】
本発明は、前記各実施例に限定されるものではなく、その要旨を逸脱しない範囲において種々の実施形態に適用することが可能である。例えば、凸部３１及び螺旋凹部３２を備える内管３の製造方法は、実施例１で述べた方法に限られない。例えば、螺旋凹部３２に対応した形状の内孔を有するダイスを回転させながら、素材となる断面円形の平滑管を直線的に引抜加工することにより凸部３１及び螺旋凹部３２を備えた内管３を作製することができる。この場合は、引抜加工により螺旋凹部３２が形成されなかった部位、すなわち内管３における周方向の螺旋凹部３２間の部位が、螺旋凹部３２に沿うよう形成された凸部３１となる。
【符号の説明】
【００７３】
１  二重管
１１  直管部
２  外管
３  内管
３１  凸部
３２  螺旋凹部
３３  境界部
４  外側流路
５  当接部
５１  当接部の端部
６  内側流路
【要約】
【課題】直管部における外側流路の流路断面形状を最適化して、熱交換性能を従来よりも向上させることができる熱交換器用二重管を提供する。
【解決手段】二重管は外管の内部に内管３を配置してなる。二重管は、内管３の内側を流れる流体と内管３と外管の間を流れる流体との間の熱交換を行うために用いられる。二重管の直管部において、内管３は、外周側に突出するよう湾曲するとともに長手方向に延在する凸部３１を複数有する。凸部３１は、二重管の長手方向において螺旋状に変位している。直管部において、外管の内周面と内管３の凸部３１とが接し、外管と内管３との間に周方向の複数箇所に区画された外側流路が形成されている。長手方向に直交する直管部の断面において、それぞれの外側流路の最大深さをＤ［ｍｍ］、周方向の円弧長をＬ［ｍｍ］としたとき、すべての外側流路のＤ／Ｌの値の平均値は、０．０９を超え、０．２０未満である。
【選択図】図５【図１】
0006823906.tif 000002
【図２】
0006823906.tif 000003
【図３】
0006823906.tif 000004
【図４】
0006823906.tif 000005
【図５】
0006823906.tif 000006
【図６】
0006823906.tif 000007
【図７】
0006823906.tif 000008
【図８】
0006823906.tif 000009
【図９】
0006823906.tif 000010
【図１０】
0006823906.tif 000011
【図１１】
0006823906.tif 000012
【図１２】
0006823906.tif 000013
【図１３】
0006823906.tif 000014
【図１４】
0006823906.tif 000015
【図１５】
0006823906.tif 000016